(57)【特許請求の範囲】
【請求項１】
ユーザ端末が、主セルとして動作する第１のセルとの通信、及び、前記主セル以外の従セルとして動作する第２のセルとの通信を同時に行い、
前記ユーザ端末が、前記主セルを前記第１のセルから前記第２のセルに変更するための主セル変更要求を前記第１のセルに送信し、
前記主セルは、共通サーチスペースのブラインド復号が要求され、
前記共通サーチスペースは、複数のセルのそれぞれが自セル内の全てのユーザ端末に共通に適用されるように設定され、
前記共通サーチスペースには、マルチキャスト／ブロードキャスト制御情報の受信に必要とされるシステム情報と対応付けられた情報が配置され、
前記第１のセル及び前記第２のセルは、それぞれ異なるＭＢＳＦＮエリアに属しており、
前記ユーザ端末は、前記第２のセルからマルチキャストで送信されるマルチキャスト／ブロードキャストデータの受信に興味を持つ場合に、前記主セル変更要求を前記第１のセルに送信する通信制御方法。
【請求項２】
前記ユーザ端末が、前記主セルを前記第２のセルに変更した後、前記第２のセルにより設定された前記共通サーチスペースのブラインド復号を行い、
前記ユーザ端末が、前記ブラインド復号の結果に基づいて、前記第２のセルから前記システム情報を受信する請求項１に記載の通信制御方法。
【請求項３】
前記ユーザ端末は、キャリアアグリゲーションにより前記第１のセルとの通信及び前記第２のセルとの通信を同時に行い、
前記主セルとは、基地局により管理されるプライマリセルであり、
前記従セルとは、前記基地局により管理されるセカンダリセルである請求項１に記載の通信制御方法。
【請求項４】
前記ユーザ端末は、二重接続方式により前記第１のセルとの通信及び前記第２のセルとの通信を同時に行い、
前記主セルとは、基地局により管理されるマスタセルグループに含まれるプライマリセルであり、
前記従セルとは、前記基地局とは異なる基地局により管理されるセルである請求項１に記載の通信制御方法。
【請求項５】
主セルとして動作する第１のセルとの通信、及び、前記主セル以外の従セルとして動作する第２のセルとの通信を同時に行う制御部と、
前記主セルを前記第１のセルから前記第２のセルに変更するための主セル変更要求を前記第１のセルに送信する送信部と、を備え、
前記主セルは、共通サーチスペースのブラインド復号が要求され、
前記共通サーチスペースは、複数のセルのそれぞれが自セル内の全てのユーザ端末に共通に適用されるように設定され、
前記共通サーチスペースには、マルチキャスト／ブロードキャスト制御情報の受信に必要とされるシステム情報と対応付けられた情報が配置され、
前記第１のセル及び前記第２のセルは、それぞれ異なるＭＢＳＦＮエリアに属しており、
前記送信部は、前記第２のセルからマルチキャストで送信されるマルチキャスト／ブロードキャストデータの受信に興味を持つ場合に、前記主セル変更要求を前記第１のセルに送信するユーザ端末。
【発明の詳細な説明】
【技術分野】
【０００１】
本発明は、移動通信システムにおいて用いられる通信制御方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）が仕様化されている。ＭＢＭＳでは、ユーザ端末は、セルから送信されるＭＢＭＳ制御情報及びＭＢＭＳデータを受信する。ここで、ＭＢＭＳ制御情報は、ＭＣＣＨ（Ｍｕｌｔｉｃａｓｔ  Ｃｏｎｔｒｏｌ  Ｃｈａｎｎｅｌ）上で送信される情報であって、ＭＢＭＳデータの受信に必要とされる制御情報である。【０００３】
ユーザ端末は、次の手順により、ＭＢＭＳ制御情報を受信する。まず、ユーザ端末は、セルにより設定される共通サーチスペースのブラインド復号を行う。共通サーチスペースは、下りリンクサブフレームの制御領域に設けられており、当該セル内の全てのユーザ端末に共通に適用される。共通サーチスペースは、ＭＢＭＳ制御情報の受信に必要とされるシステム情報と対応付けられた情報を含む。また、ユーザ端末は、共通サーチスペースに含まれる情報に基づいて、当該セルから送信されるシステム情報を受信する。そして、ユーザ端末は、当該システム情報に基づいて、当該セルから送信されるＭＢＭＳ制御情報を受信する。【０００４】
一方で、３ＧＰＰでは、キャリアアグリゲーションが仕様化されている。キャリアアグリゲーションでは、ユーザ端末は、プライマリセルとの通信及びセカンダリセルとの通信を同時に行う。プライマリセルは、ユーザ端末のモビリティ制御を行うセルであり、共通サーチスペースのブラインド復号が要求される。リリース１２では、ユーザ端末は、セカンダリセルから送信されるＭＢＭＳデータを受信する又は受信に興味を持つ場合に、セカンダリセルのシステム情報を取得する処理（ｓｙｓｔｅｍ  ｉｎｆｏｒｍａｔｉｏｎ  ａｃｑｕｉｓｉｔｉｏｎ）を行うことが可能である（非特許文献１参照）。
【先行技術文献】
【非特許文献】
【０００５】
【非特許文献１】３ＧＰＰ技術仕様書  「ＴＳ３６．３３１  Ｖ１２．０．０」  ２０１３年１２月
【発明の概要】
【０００６】
一実施形態に係る通信制御方法は、ユーザ端末が、主セルとして動作する第１のセルとの通信、及び、前記主セル以外の従セルとして動作する第２のセルとの通信を同時に行い、前記ユーザ端末が、前記主セルを前記第１のセルから前記第２のセルに変更するための主セル変更要求を前記第１のセルに送信することを含む。前記主セルは、共通サーチスペースのブラインド復号が要求される。前記共通サーチスペースは、複数のセルのそれぞれが自セル内の全てのユーザ端末に共通に適用されるように設定される。前記共通サーチスペースには、マルチキャスト／ブロードキャスト制御情報の受信に必要とされるシステム情報と対応付けられた情報が配置される。
【０００７】
一実施形態に係る通信制御方法は、ユーザ端末が、主セルとして動作する第１のセルとの通信、及び、前記主セル以外の従セルとして動作する第２のセルとの通信を同時に行い、前記第１のセルが、システム情報により、前記第１のセルからのマルチキャスト／ブロードキャスト制御情報の受信に必要とされる第１の情報を前記ユーザ端末に送信し、前記第１のセルが、前記第２のセルからのマルチキャスト／ブロードキャスト制御情報の受信に必要とされる第２の情報を前記ユーザ端末に送信することを含む。前記主セルは、共通サーチスペースのブラインド復号が要求される。前記共通サーチスペースは、複数のセルのそれぞれが自セル内の全てのユーザ端末に共通に適用されるように設定される。前記共通サーチスペースには、マルチキャスト／ブロードキャスト制御情報の受信に必要とされる前記システム情報と対応付けられた情報が配置される。
【０００８】
一実施形態に係る通信制御方法は、第１のセルが、該第１のセルにおいて第１のマルチキャスト／ブロードキャストデータを送信するための第１の無線リソースのリソース位置を示す情報を、自セルの共通サーチスペースに配置し、第２のセルが、該第２のセルにおいて第２のマルチキャスト／ブロードキャストデータを送信するための第２の無線リソースのリソース位置を示す情報を、自セルの共通サーチスペースに配置することを含む。前記共通サーチスペースは、複数のセルのそれぞれが自セル内の全てのユーザ端末に共通に適用されるように設定される。前記第１の無線リソース及び前記第２の無線リソースは、同じリソース位置に設定される。
【図面の簡単な説明】
【０００９】
【図１】第１実施形態乃至第３実施形態に係るＬＴＥシステムの構成図である。
【図２】第１実施形態乃至第３実施形態に係るＵＥのブロック図である。
【図３】第１実施形態乃至第３実施形態に係るｅＮＢのブロック図である。
【図４】第１実施形態乃至第３実施形態に係る無線インターフェイスのプロトコルスタック図である。
【図５】第１実施形態乃至第３実施形態に係る無線フレームの構成図である。
【図６】ＭＢＭＳが提供されるエリアを示す図である。
【図７】ＭＢＭＳに関連するネットワーク構成を示す図である。
【図８】第１実施形態に係る動作環境を示す図である。
【図９】図８の動作環境において生じる問題を説明するための図である。
【図１０】第１実施形態に係る動作を示すシーケンス図である。
【図１１】第１実施形態の変更例に係る二重接続方式を示す図である。
【図１２】第１実施形態の変更例に係る動作環境を示す図である。
【図１３】図１２の動作環境において生じる問題を説明するための図である。
【図１４】第１実施形態の変更例に係る動作を示すシーケンス図である。
【図１５】ＭｅＮＢ変更処理（図１４のステップＳ２３）を示すシーケンス図である。
【図１６】第２実施形態の動作パターン１を示すシーケンス図である。
【図１７】第２実施形態の動作パターン１におけるシステム情報（ＳＩＢ１３）を示す図である。
【図１８】第３実施形態に係る動作環境を示す図である。
【図１９】第３実施形態に係る通信制御方法を示す図である。
【図２０】第３実施形態に係る第１のＭＢＭＳデータ及び第２のＭＢＭＳデータの構成方法１を示す図である。
【図２１】第３実施形態に係る第１のＭＢＭＳデータ及び第２のＭＢＭＳデータの構成方法２を示す図である。
【図２２】第３実施形態に係る第１のＭＢＭＳデータ及び第２のＭＢＭＳデータの構成方法２の変更例を示す図である。
【図２３】第３実施形態に係る第１のＭＢＭＳデータ及び第２のＭＢＭＳデータの構成方法３を示す図である。
【図２４】第３実施形態に係るセル＃１及びセル＃２の対応付けの通知方法を示す図である。
【発明を実施するための形態】
【００１０】
［実施形態の概要］
第１実施形態に係る通信制御方法は、ユーザ端末が、主セルとして動作する第１のセルとの通信、及び、前記主セル以外の従セルとして動作する第２のセルとの通信を同時に行い、前記ユーザ端末が、前記主セルを前記第１のセルから前記第２のセルに変更するための主セル変更要求を前記第１のセルに送信することを含む。前記主セルは、共通サーチスペースのブラインド復号が要求される。前記共通サーチスペースは、複数のセルのそれぞれが自セル内の全てのユーザ端末に共通に適用されるように設定される。前記共通サーチスペースには、マルチキャスト／ブロードキャスト制御情報の受信に必要とされるシステム情報と対応付けられた情報が配置される。
【００１１】
第１実施形態では、前記ユーザ端末が、前記主セルを前記第２のセルに変更した後、前記第２のセルにより設定された前記共通サーチスペースのブラインド復号を行い、前記ユーザ端末が、前記ブラインド復号の結果に基づいて、前記第２のセルから前記システム情報を受信する。
【００１２】
第１実施形態では、前記第１のセル及び前記第２のセルは、それぞれ異なるＭＢＳＦＮエリアに属している。前記ユーザ端末は、前記第２のセルからマルチキャストで送信されるマルチキャスト／ブロードキャストデータの受信に興味を持つ場合に、前記主セル変更要求を前記第１のセルに送信する。
【００１３】
第１実施形態では、前記ユーザ端末は、キャリアアグリゲーションにより前記第１のセルとの通信及び前記第２のセルとの通信を同時に行う。前記主セルとは、基地局により管理されるプライマリセルである。前記従セルとは、前記基地局により管理されるセカンダリセルである。
【００１４】
第１実施形態の変更例では、前記ユーザ端末は、二重接続方式により前記第１のセルとの通信及び前記第２のセルとの通信を同時に行う。前記主セルとは、基地局により管理されるマスタセルグループに含まれるプライマリセルである。前記従セルとは、前記基地局とは異なる基地局により管理されるセルである。
【００１５】
第１実施形態に係るユーザ端末は、主セルとして動作する第１のセルとの通信、及び、前記主セル以外の従セルとして動作する第２のセルとの通信を同時に行う制御部と、前記主セルを前記第１のセルから前記第２のセルに変更するための主セル変更要求を前記第１のセルに送信する送信部と、を備える。前記主セルは、共通サーチスペースのブラインド復号が要求される。前記共通サーチスペースは、複数のセルのそれぞれが自セル内の全てのユーザ端末に共通に適用されるように設定される。前記共通サーチスペースには、マルチキャスト／ブロードキャスト制御情報の受信に必要とされるシステム情報と対応付けられた情報が配置される。
【００１６】
第２実施形態に係る通信制御方法は、ユーザ端末が、主セルとして動作する第１のセルとの通信、及び、前記主セル以外の従セルとして動作する第２のセルとの通信を同時に行い、前記第１のセルが、システム情報により、前記第１のセルからのマルチキャスト／ブロードキャスト制御情報の受信に必要とされる第１の情報を前記ユーザ端末に送信し、前記第１のセルが、前記第２のセルからのマルチキャスト／ブロードキャスト制御情報の受信に必要とされる第２の情報を前記ユーザ端末に送信することを含む。前記主セルは、共通サーチスペースのブラインド復号が要求される。前記共通サーチスペースは、複数のセルのそれぞれが自セル内の全てのユーザ端末に共通に適用されるように設定される。前記共通サーチスペースには、マルチキャスト／ブロードキャスト制御情報の受信に必要とされる前記システム情報と対応付けられた情報が配置される。
【００１７】
第２実施形態の動作パターン１では、前記第１のセルは、前記システム情報により、前記第２の情報を前記ユーザ端末にブロードキャスト送信する。
【００１８】
第２実施形態の動作パターン２では、前記第１のセルは、前記システム情報とは異なる個別シグナリングにより、前記第２の情報を前記ユーザ端末にユニキャスト送信する。
【００１９】
第２実施形態の動作パターン２では、前記ユーザ端末が、前記従セルで配信されるマルチキャスト／ブロードキャストの受信可否に関する端末能力情報を前記第１のセルに送信する。前記第１のセルは、前記端末能力情報に基づいて、前記個別シグナリングにより、前記第２の情報を前記ユーザ端末にユニキャスト送信する。
【００２０】
第２実施形態の動作パターン２では、前記ユーザ端末が、前記第２のセルから送信されるマルチキャスト／ブロードキャストデータの受信に興味を持つことを示すマルチキャスト／ブロードキャスト興味通知を前記第１のセルに送信する。前記第１のセルは、前記マルチキャスト／ブロードキャスト興味通知に基づいて、前記個別シグナリングにより、前記第２の情報を前記ユーザ端末にユニキャスト送信する。
【００２１】
第２実施形態では、前記ユーザ端末は、キャリアアグリゲーションにより前記第１のセルとの通信及び前記第２のセルとの通信を同時に行う。前記主セルとは、基地局により管理されるプライマリセルである。前記従セルとは、前記基地局により管理されるセカンダリセルである。
【００２２】
第２実施形態の変更例では、前記ユーザ端末は、二重接続方式により前記第１のセルとの通信及び前記第２のセルとの通信を同時に行う。前記主セルとは、基地局により管理されるマスタセルグループに含まれるプライマリセルである。前記従セルとは、前記基地局とは異なる基地局により管理されるセルである。
【００２３】
第２実施形態に係るユーザ端末は、主セルとして動作する第１のセルとの通信、及び、前記主セル以外の従セルとして動作する第２のセルとの通信を同時に行う制御部と、前記第１のセルからのマルチキャスト／ブロードキャスト制御情報の受信に必要とされる第１の情報をシステム情報により前記第１のセルから受信する受信部と、を備える。前記受信部は、前記第２のセルからのマルチキャスト／ブロードキャスト制御情報の受信に必要とされる第２の情報を前記第１のセルから受信する。前記主セルは、共通サーチスペースのブラインド復号が要求される。前記共通サーチスペースは、複数のセルのそれぞれが自セル内の全てのユーザ端末に共通に適用されるように設定される。前記共通サーチスペースには、マルチキャスト／ブロードキャスト制御情報の受信に必要とされる前記システム情報と対応付けられた情報が配置される。
【００２４】
第３実施形態に係る通信制御方法は、第１のセルが、該第１のセルにおいて第１のマルチキャスト／ブロードキャストデータを送信するための第１の無線リソースのリソース位置を示す情報を、自セルの共通サーチスペースに配置し、第２のセルが、該第２のセルにおいて第２のマルチキャスト／ブロードキャストデータを送信するための第２の無線リソースのリソース位置を示す情報を、自セルの共通サーチスペースに配置することを含む。前記共通サーチスペースは、複数のセルのそれぞれが自セル内の全てのユーザ端末に共通に適用されるように設定される。前記第１の無線リソース及び前記第２の無線リソースは、同じリソース位置に設定される。
【００２５】
第３実施形態では、前記第１のマルチキャスト／ブロードキャストデータ及び前記第２のマルチキャスト／ブロードキャストデータは、同一の情報源を元に生成される。
【００２６】
第３実施形態では、ユーザ端末が、主セルとして動作する前記第１のセルとの通信、及び、前記主セル以外の従セルとして動作する前記第２のセルとの通信を同時に行う。前記ユーザ端末は、前記第１のセルの共通サーチスペースに対するブラインド復号の結果に基づいて、前記第１のセルから前記第１のマルチキャスト／ブロードキャストデータを受信すると共に前記第２のセルから前記第２のマルチキャスト／ブロードキャストデータを受信する。前記主セルは、共通サーチスペースのブラインド復号が要求される。
【００２７】
第３実施形態では、前記ユーザ端末は、キャリアアグリゲーションにより前記第１のセルとの通信及び前記第２のセルとの通信を同時に行う。前記主セルとは、基地局により管理されるプライマリセルである。前記従セルとは、前記基地局により管理されるセカンダリセルである。
【００２８】
第３実施形態の変更例では、前記ユーザ端末は、二重接続方式により前記第１のセルとの通信及び前記第２のセルとの通信を同時に行う。前記主セルとは、基地局により管理されるマスタセルグループに含まれるプライマリセルである。前記従セルとは、前記基地局とは異なる基地局により管理されるセルである。
【００２９】
第３実施形態では、ユーザ端末が、前記第１のセルとの通信を行う。前記ユーザ端末は、前記第１のセルの共通サーチスペースに対するブラインド復号の結果に基づいて、前記第１のセルから前記第１のマルチキャスト／ブロードキャストデータを受信する。
【００３０】
第３実施形態では、前記情報源は、映像データである。前記第１のマルチキャスト／ブロードキャストデータは、前記情報源を構成する一部の映像フレームである。前記第２のマルチキャスト／ブロードキャストデータは、前記情報源を構成する他の映像フレームである。
【００３１】
第３実施形態では、前記情報源は、映像データである。前記第１のマルチキャスト／ブロードキャストデータは、前記情報源を構成する映像フレームにおける一部の映像部分である。前記第２のマルチキャスト／ブロードキャストデータは、前記情報源を構成する映像フレームにおける他の映像部分である。
【００３２】
第３実施形態に係るユーザ端末は、主セルとして動作する第１のセルとの通信、及び、前記主セル以外の従セルとして動作する第２のセルとの通信を同時に行う制御部と、前記第１のセルの共通サーチスペースに対するブラインド復号の結果に基づいて、前記第１のセルから第１のマルチキャスト／ブロードキャストデータを受信すると共に前記第２のセルから第２のマルチキャスト／ブロードキャストデータを受信する受信部と、を備える。前記第１のセルにおいて前記第１のマルチキャスト／ブロードキャストデータを送信するための第１の無線リソース及び前記第２のセルにおいて前記第２のマルチキャスト／ブロードキャストデータを送信するための第２の無線リソースは、同じリソース位置に設定される。前記主セルは、前記共通サーチスペースのブラインド復号が要求される。前記共通サーチスペースは、複数のセルのそれぞれが自セル内の全てのユーザ端末に共通に適用されるように設定される。
【００３３】
［第１実施形態］
以下において、３ＧＰＰ規格に基づく移動通信システムであるＬＴＥシステムに本発明を適用する場合の実施形態を説明する。
【００３４】
（１）システム構成
以下において、第１実施形態に係るＬＴＥシステムのシステム構成について説明する。図１は、第１実施形態に係るＬＴＥシステムの構成図である。
【００３５】
図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３６】
ＵＥ１００は、ユーザ端末に相当する。ＵＥ１００は、移動型の通信装置であり、セル（サービングセル）との無線通信を行う。ＵＥ１００の構成については後述する。
【００３７】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３８】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３９】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。ＳＧＷは、ユーザデータの転送制御を行う。ＭＭＥ／Ｓ−ＧＷ３００は、Ｓ１インターフェイスを介してｅＮＢ２００と接続される。なお、Ｅ−ＵＴＲＡＮ１０及びＥＰＣ２０は、ＬＴＥシステムのネットワークを構成する。
【００４０】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４１】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００４２】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４３】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４４】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。また、メモリ２３０をプロセッサ２４０と一体化し、このセット（すなわち、チップセット）をプロセッサとしてもよい。
【００４５】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４６】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４７】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４８】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４９】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御情報が伝送される。
【００５０】
ＭＡＣ層は、データの優先制御、ハイブリッドＡＲＱ（ＨＡＲＱ）による再送処理、及びランダムアクセス手順などを行う。ＵＥ１００のＭＡＣ層とｅＮＢ２００のＭＡＣ層との間では、トランスポートチャネルを介してユーザデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００５１】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御情報が伝送される。
【００５２】
ＰＤＣＰ層は、ヘッダ圧縮・伸張、及び暗号化・復号化を行う。
【００５３】
ＲＲＣ層は、制御情報を取り扱う制御プレーンでのみ定義される。ＵＥ１００のＲＲＣ層とｅＮＢ２００のＲＲＣ層との間では、各種設定のための制御情報（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００５４】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５５】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５６】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００５７】
下りリンクにおいて、各サブフレームの先頭数シンボルの区間は、主に制御情報を伝送するための物理下りリンク制御チャネル（ＰＤＣＣＨ）として使用される制御領域である。また、各サブフレームの残りの区間は、主にユーザデータを伝送するための物理下りリンク共有チャネル（ＰＤＳＣＨ）として使用できるデータ領域である。
【００５８】
ｅＮＢ２００は、ＰＤＣＣＨにより、下りリンク及び上りリンクのリソース割当結果を通知するための情報（Ｌ１／Ｌ２制御情報）をＵＥ１００に送信する。各ＰＤＣＣＨは、１つ又は連続する複数の制御チャネルエレメント（ＣＣＥ）で構成されるリソースを占有する。１つのＣＣＥは、複数のＲＥで構成される。ＰＤＣＣＨが占有するＣＣＥ数（アグリゲーションレベル）は、１，２，４，８の何れかが設定される。
【００５９】
ｅＮＢ２００は、複数の制御情報を送信する。ｅＮＢ２００は、各制御情報の送信先のＵＥ１００を識別するために、送信先のＵＥ１００の識別子（ＲＮＴＩ：Ｒａｄｉｏ  Ｎｅｔｗｏｒｋ  Ｔｅｍｐｏｒａｒｙ  ＩＤ）でスクランブリングしたＣＲＣビットを制御情報に含める。
【００６０】
各ＵＥ１００は、自ＵＥ宛ての可能性がある複数の制御情報について、自ＵＥのＲＮＴＩでＣＲＣビットをデスクランブリングすることにより、ＰＤＣＣＨをブラインド復号（Ｂｌｉｎｄ  ｄｅｃｏｄｉｎｇ）して、自ＵＥ宛の制御情報を検出する。
【００６１】
また、ブラインド復号の回数を削減するために、ブラインド復号の対象となるＣＣＥは限定されている。ブラインド復号の対象となるＣＣＥ領域は、「サーチスペース」と称される。
【００６２】
（２）ＭＢＭＳ
以下において、ＭＢＭＳの概要について説明する。第１実施形態に係るＬＴＥシステムは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）をサポートする。ＭＢＭＳでは、ＵＥ１００は、ネットワークからマルチキャスト又はブロードキャストで配信されるマルチメディアコンテンツ（ＭＢＭＳデータ）を受信する。ＵＥ１００は、ＲＲＣ接続状態だけでなく、ＲＲＣアイドル状態においてもＭＢＭＳデータを受信可能である。
【００６３】
図６は、ＭＢＭＳが提供されるエリアを示す図である。図６に示すように、複数のセルにより１つのＭＢＳＦＮ（Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）エリアが構成され、複数のＭＢＳＦＮエリアによりＭＢＭＳサービスエリアが構成される。１つのセルは、複数のＭＢＳＦＮエリアに属することができる。
【００６４】
図７は、ＭＢＭＳに関連するネットワーク構成を示す図である。図７に示すように、ＢＭＳＣ（ｂｒｏａｄｃａｓｔ  ｍｕｌｔｉｃａｓｔ  ｓｅｒｖｉｃｅ  Ｃｅｎｔｅｒ）３１０は、ＭＢＭＳデータを配信する機能を提供する。ＭＢＭＳ  ＧＷ（ＭＢＭＳ  ｇａｔｅｗａｙ）３２０は、ＭＢＭＳデータを各ｅＮＢ２００にブロードキャストする。ＭＣＥ(Ｍｕｌｔｉ−ｃｅｌｌ  Ｃｏｏｒｄｉｎａｔｉｏｎ  Ｅｎｔｉｔｙ)３３０は、同一ＭＢＳＦＮエリア内の各ｅＮＢ２００により使用される無線リソースを制御したり、ＭＢＳＦＮサブフレームを設定したりする。
【００６５】
ＭＢＭＳでは、ＵＥ１００は、セルから送信されるＭＢＭＳデータを受信するために、ＭＢＭＳ制御情報を受信する。ＭＢＭＳ制御情報は、ＭＣＣＨ（Ｍｕｌｔｉｃａｓｔ  Ｃｏｎｔｒｏｌ  Ｃｈａｎｎｅｌ）上で送信される情報であって、ＭＢＭＳデータの受信に必要とされる制御情報である。
【００６６】
ＵＥ１００は、次の手順により、ＭＢＭＳ制御情報を受信する。まず、ＵＥ１００は、セルにより設定される共通サーチスペース（ＣＳＳ）のブラインド復号を行う。ＣＳＳは、下りリンクサブフレームの制御領域に設けられており、当該セル内の全てのＵＥ１００に共通に適用される。ＣＳＳは、ＭＢＭＳ制御情報の受信に必要とされるシステム情報（ＳＩＢ１３：Ｓｙｓｔｅｍ  Ｉｎｆｏｒｍａｔｉｏｎ  Ｂｌｏｃｋ  ｔｙｐｅ  １３）と対応付けられた情報（リソース割り当て情報、ＭＣＳなど）を含む。
【００６７】
ＵＥ１００は、ＣＳＳに含まれる情報に基づいて、当該セルから送信されるシステム情報（ＳＩＢ１３）を受信する。そして、ＵＥ１００は、当該システム情報（ＳＩＢ１３）に基づいて、当該セルから送信されるＭＢＭＳ制御情報を受信する。
【００６８】
（３）第１実施形態に係る動作
以下において、第１実施形態に係る動作について説明する。第１実施形態では、キャリアアグリゲーション適用時のＭＢＭＳ受信に関する動作ついて説明する。
【００６９】
図８は、第１実施形態に係る動作環境を示す図である。
【００７０】
図８に示すように、ｅＮＢ２００は、セル＃１（第１のセル）及びセル＃２（第２のセル）を管理している。セル＃１及びセル＃２は、異なる周波数（コンポーネントキャリア）を使用する。
【００７１】
キャリアアグリゲーションでは、ＵＥ１００は、１つのｅＮＢ２００により管理される複数のセルとの通信を同時に行う。図８では、セル＃１をプライマリセル（ＰＣｅｌｌ）として設定し、セル＃２をセカンダリセル（ＳＣｅｌｌ）として設定している。第１実施形態では、ＰＣｅｌｌは主セルに相当し、ＳＣｅｌｌは従セルに相当する。
【００７２】
セル＃１の下りリンクサブフレーム及びセル＃２の下りリンクサブフレームのそれぞれは、制御領域（ＰＤＣＣＨ領域）を含む。ＰＤＣＣＨ領域は、上述したＣＳＳに加えて、セル内の各ＵＥ固有の制御情報が配置される固有サーチスペース（ＵＳＳ：ＵＥ  ｓｐｅｃｉｆｉｃ  Ｓｅａｒｃｈ  Ｓｐａｃｅ）を含む。
【００７３】
キャリアアグリゲーションにおいて、ＵＥ１００は、ＰＣｅｌｌのＣＳＳ及びＵＳＳの両方のブラインド復号を行うとともに、ＳＣｅｌｌのＵＳＳのブラインド復号を行う。ＵＥ１００は、ＰＣｅｌｌのＣＳＳのブラインド復号を行うので、ＰＣｅｌｌのシステム情報を取得可能である。これに対し、リリース１２よりも前のリリース（但し、リリース１０以降）に準拠するＵＥ１００は、ＳＣｅｌｌのＣＳＳのブラインド復号を行わないので、ＳＣｅｌｌのシステム情報を取得できない。
【００７４】
図９は、図８の動作環境において生じる問題を説明するための図である。
【００７５】
図９に示すように、セル＃１（ＰＣｅｌｌ）はＭＢＭＳサービスエリア１に属しており、セル＃２（ＳＣｅｌｌ）はＭＢＭＳサービスエリア２に属している。ＭＢＭＳサービスエリア１は、チャンネルＡ，Ｂ，ＣのＭＢＭＳデータを提供するエリアである。ＭＢＭＳサービスエリア２は、チャンネルＤ，Ｅ，ＦのＭＢＭＳデータを提供するエリアである。
【００７６】
ＵＥ１００は、セル＃１から取得するシステム情報（ＳＩＢ１５：Ｓｙｓｔｅｍ  Ｉｎｆｏｒｍａｔｉｏｎ  Ｂｌｏｃｋ  ｔｙｐｅ  １５）などにより、セル＃１がＭＢＭＳサービスエリア１に属していること、及び、セル＃２がＭＢＭＳサービスエリア２に属していることを把握している。また、ＵＥ１００は、ＮＡＳメッセージにより、各ＭＢＭＳサービスエリアが提供するチャンネルに関する情報を把握している。
【００７７】
ここで、ＵＥ１００が、チャンネルＤのＭＢＭＳデータに興味を持つケースを想定する。リリース１２をサポートするＵＥ１００は、ＳＣｅｌｌから送信されるＭＢＭＳデータに興味を持つ場合に、ＳＣｅｌｌのシステム情報（ＳＩＢ１３）を取得し、ＳＣｅｌｌからＭＢＭＳ制御情報及びＭＢＭＳデータを受信可能である。
【００７８】
しかしながら、ＳＣｅｌｌのシステム情報（ＳＩＢ１３）を取得する場合、ＳＣｅｌｌにより設定されるＣＳＳのブラインド復号を行う必要がある。従って、ＳＣｅｌｌ及びＰＣｅｌｌのそれぞれについて、ＵＥ１００がＣＳＳのブラインド復号を行うことになるため、ブラインド復号に伴うＵＥ１００の処理負荷が増大する。
【００７９】
そこで、第１実施形態では、以下の方法により、ブラインド復号に伴うＵＥ１００の処理負荷を削減する。
【００８０】
第１実施形態に係る通信制御方法は、ＵＥ１００が、ＣＳＳのブラインド復号が要求されるＰＣｅｌｌとして動作するセル＃１との通信、及び、ＰＣｅｌｌ以外のＳＣｅｌｌとして動作するセル＃２との通信を同時に行うステップＡと、ＵＥ１００が、ＰＣｅｌｌをセル＃１からセル＃２に変更するためのＰＣｅｌｌ変更要求をセル＃１に送信するステップＢと、を含む。
【００８１】
また、第１実施形態に係る通信制御方法は、ＰＣｅｌｌをセル＃２に変更した後、ＵＥ１００が、セル＃２により設定されたＣＳＳのブラインド復号を行うステップＣと、ＵＥ１００が、ステップＣにおけるブラインド復号の結果に基づいて、セル＃２からシステム情報（ＳＩＢ１３）を受信するステップＤと、を含む。
【００８２】
これにより、ＵＥ１００は、セル＃２が送信するＭＢＭＳ制御情報を受信できる。また、新たにＰＣｅｌｌとなったセル＃２についてのみＣＳＳをブラインド復号すればよいので、２つのセルについてブラインド復号を並行して行う場合に比べて、ブラインド復号に伴う処理負荷を半減させることができる。
【００８３】
図１０は、第１実施形態に係る動作を示すシーケンス図である。初期状態において、セル＃１をＵＥ１００のＰＣｅｌｌとして設定し、セル＃２をＵＥ１００のＳＣｅｌｌとして設定している。
【００８４】
図１０に示すように、ステップＳ１１において、ＵＥ１００は、ＰＣｅｌｌをセル＃１からセル＃２に変更すると判断する。例えば、ＵＥ１００は、セル＃２からマルチキャストで送信されるＭＢＭＳデータの受信に興味を持つ場合に、ＰＣｅｌｌをセル＃１からセル＃２に変更すると判断する。或いは、ＵＥ１００は、セル＃２からマルチキャストで送信されるＭＢＭＳデータの受信に興味を持つ場合で、かつ、セル＃１からマルチキャストで送信されるＭＢＭＳデータの受信に興味を持たない場合に、ＰＣｅｌｌをセル＃１からセル＃２に変更すると判断する。
【００８５】
ステップＳ１２において、ＵＥ１００は、ＰＣｅｌｌ変更要求（Ｃｅｌｌ  Ｃｈａｎｇｅ  ｒｅｑｕｅｓｔ）をセル＃１に送信する。ＰＣｅｌｌ変更要求は、ＵＥ１００が希望する新たなＰＣｅｌｌの識別子（ここでは、セル＃２の識別子）を含む。ＰＣｅｌｌ変更要求は、興味のあるＭＢＭＳデータがどこで配信されているかを示す周波数情報を含んでもよい。ＰＣｅｌｌ変更要求は、ＭＢＭＳ興味通知（ＭＢＭＳ  ｉｎｔｅｒｅｓｔ  ｉｎｄｉｃａｔｉｏｎ）に含まれていてもよい。或いは、ＰＣｅｌｌ変更要求は、ＭＢＭＳ興味通知とは異なるメッセージであってもよい。この場合、ＭＢＭＳ興味通知の送信後にのみ、ＰＣｅｌｌ変更要求の送信が許容されると規定してもよい。なお、ＭＢＭＳ興味通知の詳細については、非特許文献１を参照されたい。
【００８６】
ステップＳ１３において、ｅＮＢ２００は、セル＃１において、ＳＣｅｌｌ解除通知（Ｄｅａｃｔｉｖａｔｉｏｎ（ＳＣｅｌｌ））をＵＥ１００に送信する。ＳＣｅｌｌ解除通知は、ＳＣｅｌｌとしてのセル＃２の設定を解除するためのものである。ＵＥ１００は、ＳＣｅｌｌ解除通知の受信に応じて、ＳＣｅｌｌとしてのセル＃２の設定を解除する。
【００８７】
ステップＳ１４において、ｅＮＢ２００は、セル＃１において、ＰＣｅｌｌをセル＃２に変更するための再設定メッセージ（ＲＲＣ  Ｃｏｎｎｅｃｔ  Ｒｅｃｏｎｆｉｇｕｒａｔｉｏｎ）をＵＥ１００に送信する。ＵＥ１００は、再設定メッセージの受信に応じて、セル＃２を新たなＰＣｅｌｌとして設定する。
【００８８】
ステップＳ１５において、ＵＥ１００は、設定の変更完了を示すメッセージ（ＲＲＣ  Ｃｏｎｎｅｃｔ  Ｒｅｃｏｎｆｉｇｕｒａｔｉｏｎ  Ｃｏｍｐｌｅｔｅ）をｅＮＢ２００に送信する。その結果、ＵＥ１００は、セル＃２を新たなＰＣｅｌｌとして通信を行う。
【００８９】
ステップＳ１６において、ＵＥ１００は、セル＃２により設定されたＣＳＳ及びＵＳＳのブラインド復号を行う。また、ＵＥ１００は、当該ＣＳＳのブラインド復号の結果に基づいて、セル＃２からシステム情報（ＳＩＢ１３）を受信する。これにより、ＵＥ１００は、セル＃２が送信するＭＢＭＳ制御情報及びＭＢＭＳデータを受信できる。なお、この時点では、セル＃１はＵＥ１００との通信を行わない。よって、キャリアアグリゲーションを再開するために、セル＃１をＳＣｅｌｌとして追加するための処理を行ってもよい。
【００９０】
［第１実施形態の変更例］
上述した第１実施形態に係る通信制御方法は、二重接続方式（Ｄｕａｌ  Ｃｏｎｎｅｃｔｉｖｉｔｙ）に応用できる。
【００９１】
（１）二重接続方式
二重接続方式は、リリース１２以降において導入が予定されている。二重接続方式では、ＵＥ１００には、複数のｅＮＢ２００から無線リソースが割り当てられるため、スループットの向上が見込まれる。なお、二重接続方式は、ｅＮＢ２００間キャリアアグリゲーション（ｉｎｔｅｒ−ｅＮＢ  ＣＡ）と称されることもある。
【００９２】
図１１は、二重接続方式の概要を説明するための図である。
【００９３】
図１１に示すように、二重接続方式では、マスタｅＮＢ（ＭｅＮＢ）のみが当該ＵＥ１００とのＲＲＣ接続を確立する。これに対し、セカンダリｅＮＢ（ＳｅＮＢ）は、ＲＲＣ接続をＵＥ１００と確立せずに、追加的な無線リソースをＵＥ１００に提供する。言い換えると、ＭｅＮＢは、ユーザプレーン接続だけでなく制御プレーン接続をＵＥ１００と確立する。これに対し、ＳｅＮＢは、制御プレーン接続をＵＥ１００と確立せずに、ユーザプレーン接続をＵＥ１００と確立する。ＭｅＮＢとＳｅＮＢとの間にはＸｎインターフェイスが設定される。Ｘｎインターフェイスは、Ｘ２インターフェイス又は新たなインターフェイスである。
【００９４】
二重接続方式では、ＵＥ１００は、ＭｅＮＢが管理するＮ個のセル及びＳｅＮＢが管理するＭ個のセルを同時に利用したキャリアアグリゲーションが可能である。二重接続方式においてＵＥ１００のサービングセルの最大数、すなわち、（Ｎ＋Ｍ）の最大数は、例えば５である。ここで、ＭｅＮＢが管理するＮ個のセルからなるグループは、マスタセルグループ（ＭＣＧ）と称される。また、ＳｅＮＢが管理するＭ個のセルからなるグループは、セカンダリセルグループ（ＳＣＧ）と称される。ＳＣＧには、ＵＥ１００のＰＵＣＣＨを設ける特別なセルが設定される。特別なセルは、キャリアアグリゲーションにおけるプライマリセル（ＰＣｅｌｌ）の機能の一部を遂行する。
【００９５】
（２）第１実施形態の変更例に係る動作
図１２は、第１実施形態の変更例に係る動作環境を示す図である。
【００９６】
図１２に示すように、二重接続方式では、ＵＥ１００は、複数のｅＮＢ２００により管理される複数のセルとの通信を同時に行う。図１２では、ｅＮＢ２００−１をＭｅＮＢとして設定し、ｅＮＢ２００−２をＳｅＮＢとして設定している。第１実施形態の変更例では、ｅＮＢ２００−１が管理するＭＣＧに含まれるＰＣｅｌｌは主セルに相当し、ｅＮＢ２００−２が管理するセルは従セルに相当する。
【００９７】
ｅＮＢ２００−１の下りリンクサブフレーム及びｅＮＢ２００−２の下りリンクサブフレームのそれぞれは、制御領域（ＰＤＣＣＨ領域）を含む。ＰＤＣＣＨ領域は、ＣＳＳ及びＵＳＳを含む。本変更例では、ＵＥ１００は、ＭｅＮＢのＣＳＳ及びＵＳＳの両方のブラインド復号を行うとともに、ＳｅＮＢのＵＳＳのブラインド復号を行う。ＵＥ１００は、ＭｅＮＢのＣＳＳのブラインド復号を行うので、ＭｅＮＢのシステム情報を取得可能である。これに対し、ＵＥ１００は、ＳｅＮＢのＣＳＳのブラインド復号を行わないので、ＳｅＮＢのシステム情報を取得できない。
【００９８】
図１３は、図１２の動作環境において生じる問題を説明するための図である。
【００９９】
図１３に示すように、ｅＮＢ２００−１（ＭｅＮＢ）のセルはＭＢＭＳサービスエリア１に属しており、ｅＮＢ２００−２（ＳｅＮＢ）のセルはＭＢＭＳサービスエリア２に属している。ＭＢＭＳサービスエリア１は、チャンネルＡ，Ｂ，ＣのＭＢＭＳデータを提供するエリアである。ＭＢＭＳサービスエリア２は、チャンネルＤ，Ｅ，ＦのＭＢＭＳデータを提供するエリアである。
【０１００】
ＵＥ１００は、ｅＮＢ２００−１から取得するシステム情報（ＳＩＢ１５：Ｓｙｓｔｅｍ  Ｉｎｆｏｒｍａｔｉｏｎ  Ｂｌｏｃｋ  ｔｙｐｅ  １５）などにより、ｅＮＢ２００−１のセルがＭＢＭＳサービスエリア１に属していること、及び、ｅＮＢ２００−２のセルがＭＢＭＳサービスエリア２に属していることを把握している。また、ＵＥ１００は、ＮＡＳメッセージにより、各ＭＢＭＳサービスエリアが提供するチャンネルに関する情報を把握している。
【０１０１】
ここで、ＵＥ１００が、チャンネルＤのＭＢＭＳデータに興味を持つケースを想定する。このケースでは、ＵＥ１００が、ＳｅＮＢから送信されるＭＢＭＳデータに興味を持つ場合に、ＳｅＮＢのシステム情報（ＳＩＢ１３）を取得し、ＳｅＮＢからＭＢＭＳ制御情報及びＭＢＭＳデータを受信することが考えられる。
【０１０２】
しかしながら、ＳｅＮＢのシステム情報（ＳＩＢ１３）を取得する場合、ＳｅＮＢにより設定されるＣＳＳのブラインド復号を行う必要がある。従って、ＳｅＮＢ及びＭｅＮＢのそれぞれについて、ＵＥ１００がＣＳＳのブラインド復号を行うことになるため、ブラインド復号に伴うＵＥ１００の処理負荷が増大する。
【０１０３】
そこで、第１実施形態の変更例では、上述した第１実施形態と同様の方法で、ＭｅＮＢをｅＮＢ２００−１からｅＮＢ２００−２に変更することにより、ブラインド復号に伴うＵＥ１００の処理負荷を削減する。
【０１０４】
図１４は、第１実施形態の変更例に係る動作を示すシーケンス図である。初期状態において、ｅＮＢ２００−１をＵＥ１００のＭｅＮＢとして設定し、ｅＮＢ２００−２をＵＥ１００のＳｅＮＢとして設定している。
【０１０５】
図１４に示すように、ステップＳ２１において、ＵＥ１００は、ＭｅＮＢをｅＮＢ２００−１からｅＮＢ２００−２に変更すると判断する。例えば、ＵＥ１００は、ｅＮＢ２００−２のセルからマルチキャストで送信されるＭＢＭＳデータの受信に興味を持つ場合に、ＭｅＮＢをｅＮＢ２００−１のセルからｅＮＢ２００−２のセルに変更すると判断する。或いは、ＵＥ１００は、ｅＮＢ２００−２のセルからマルチキャストで送信されるＭＢＭＳデータの受信に興味を持つ場合で、かつ、ｅＮＢ２００−１のセルからマルチキャストで送信されるＭＢＭＳデータの受信に興味を持たない場合に、ＭｅＮＢをｅＮＢ２００−１からｅＮＢ２００−２に変更すると判断する。
【０１０６】
ステップＳ２２において、ＵＥ１００は、ＭｅＮＢ変更要求（Ｒｏｌｅ  Ｃｈａｎｇｅ  ｒｅｑｕｅｓｔ）をｅＮＢ２００−１に送信する。ＭｅＮＢ変更要求は、ＭＢＭＳ興味通知（ＭＢＭＳ  ｉｎｔｅｒｅｓｔ  ｉｎｄｉｃａｔｉｏｎ）に含まれていてもよい。或いは、ＭｅＮＢ変更要求は、ＭＢＭＳ興味通知とは異なるメッセージであってもよい。この場合、ＭＢＭＳ興味通知の送信後にのみ、ＭｅＮＢ変更要求の送信が許容されると規定してもよい。
【０１０７】
ステップＳ２３において、ＭｅＮＢ変更処理（Ｒｏｌｅ  Ｃｈａｎｇｅ  Ｐｒｏｃｅｓｓ）を行う。ＭｅＮＢ変更処理の詳細については後述する。ＵＥ１００は、ｅＮＢ２００−２を新たなＭｅＮＢとして通信を行う。
【０１０８】
ステップＳ２４において、ＵＥ１００は、ｅＮＢ２００−２により設定されたＣＳＳ及びＵＳＳのブラインド復号を行う。また、ＵＥ１００は、当該ＣＳＳのブラインド復号の結果に基づいて、ｅＮＢ２００−２のセルからシステム情報（ＳＩＢ１３）を受信する。これにより、ＵＥ１００は、ｅＮＢ２００−２のセルが送信するＭＢＭＳ制御情報及びＭＢＭＳデータを受信できる。なお、この時点では、ｅＮＢ２００−１はＵＥ１００との通信を行わない。よって、二重接続を再開するために、ｅＮＢ２００−１をＳｅＮＢとして追加するための処理を行ってもよい。
【０１０９】
図１５は、ＭｅＮＢ変更処理（図１４のステップＳ２３）を示すシーケンス図である。
【０１１０】
図１５に示すように、ステップＳ４０１において、ｅＮＢ２００−１は、ＭｅＮＢ変更要求（Ｒｏｌｅ  Ｃｈａｎｇｅ  ｒｅｑｕｅｓｔ）に基づいて、ｅＮＢ２００−２へのＭｅＮＢの変更を行うと判断する。
【０１１１】
ステップＳ４０２において、ｅＮＢ２００−１は、ＭｅＮＢの変更を要求する変更要求（Ｒｏｌｅ  Ｃｈａｎｇｅ  Ｒｅｑｕｅｓｔ）をｅＮＢ２００−２に送信する。入れ替え要求は、ＵＥ１００に関するＲＲＣ情報（ＲＲＣ  Ｃｏｎｔａｉｎｅｒ、Ｃｏｎｔｅｘｔ）など含んでもよい。
【０１１２】
ステップＳ４０３において、変更要求（Ｒｏｌｅ  Ｃｈａｎｇｅ  Ｒｅｑｕｅｓｔ）を受信したｅＮＢ２００−２は、当該変更要求を承諾するか否かを判断する。ｅＮＢ２００−２は、自身の負荷状況などを考慮して、かかる判断を行う。ここでは、当該変更要求を承諾すると判断したと仮定して、説明を進める。
【０１１３】
ステップＳ４０４において、ｅＮＢ２００−２は、変更要求に対する肯定応答（Ｒｏｌｅ  Ｃｈａｎｇｅ  Ｒｅｑｕｅｓｔ  Ａｃｋ）をｅＮＢ２００−１に送信する。
【０１１４】
ステップＳ４０５及びＳ４０６において、ｅＮＢ２００−１は、ＭｅＮＢの変更を行うための再設定メッセージ（ＲＲＣ  Ｃｏｎｎ．  Ｒｅｃｏｎｆ．）メッセージをＵＥ１００に送信する。
【０１１５】
ステップＳ４０７乃至Ｓ４１０において、ｅＮＢ２００−１は、ｅＮＢ２００−２に蓄積されているＵＥ１００のユーザデータをｅＮＢ２００−１に転送する。
【０１１６】
ステップＳ４１１において、ｅＮＢ２００−２は、ＵＥ１００に上りリンク無線リソースを割り当てる。
【０１１７】
ステップＳ４１２において、ＵＥ１００は、割り当てられた上りリンク無線リソースを用いて、再設定完了メッセージ（ＲＲＣ  Ｃｏｎｎ．  Ｒｅｃｏｎｆ．  Ｃｏｍｐｌｅｔｅ）をｅＮＢ２００−２に送信する。これにより、ＵＥ１００は、ｅＮＢ２００−２をＭｅＮＢとして設定する。すなわち、ＭｅＮＢがｅＮＢ２００−１からｅＮＢ２００−２に切り替わる。
【０１１８】
ここで、ＵＥ１００にはｅＮＢ２００−２から識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｔｙ）が既に割り当てられており、上りリンクタイミング調整（ＴＡ：Ｔｉｍｉｎｇ  Ａｄｖａｎｃｅ）も済んでいることから、ＵＥ１００は、ｅＮＢ２００−２に対するランダムアクセス手順を行うことなく、再設定完了メッセージをｅＮＢ２００−２に送信する。
【０１１９】
ステップＳ４１３において、ＵＥ１００は、ｅＮＢ２００−１とユーザデータを送受信する。
【０１２０】
ステップＳ４１４乃至Ｓ４２１において、Ｓ−ＧＷ３００Ｕとの間のデータパスをｅＮＢ２００−１からｅＮＢ２００−２に切り替える。詳細には、データパス切り替えをｅＮＢ２００−２からＭＭＥ３００Ｃを通じて要求し、Ｓ−ＧＷ３００ＵがデータパスをｅＮＢ２００−１からｅＮＢ２００−２に切り替える。
【０１２１】
ステップＳ４２２において、ｅＮＢ２００−１は、ＭｅＮＢの変更完了メッセージをｅＮＢ２００−２に送信する。
【０１２２】
［第２実施形態］
第２実施形態について、第１実施形態との相違点を主として説明する。第２実施形態は、システム構成については第１実施形態と同様である。
【０１２３】
第２実施形態では、第１実施形態と同様に、キャリアアグリゲーション適用時のＭＢＭＳ受信に関する動作について説明する。第２実施形態の動作環境は、第１実施形態と同様である（図８及び図９参照）。すなわち、ＵＥ１００は、ＰＣｅｌｌとして動作するセル＃１との通信、及び、ＳＣｅｌｌとして動作するセル＃２との通信を同時に行う。また、セル＃１はＭＢＭＳサービスエリア１に属しており、セル＃２はＭＢＭＳサービスエリア２に属している。
【０１２４】
第２実施形態では、以下の方法により、ブラインド復号に伴うＵＥ１００の処理負荷を削減する。
【０１２５】
第２実施形態に係る通信制御方法は、ＵＥ１００が、ＰＣｅｌｌとして動作するセル＃１との通信、及び、ＳＣｅｌｌとして動作するセル＃２との通信を同時に行うステップＡと、セル＃１が、システム情報（ＳＩＢ１３）により、セル＃１からのＭＢＭＳ制御情報の受信に必要とされる第１の情報をＵＥ１００に送信するステップＢと、セル＃１が、セル＃２からのＭＢＭＳ制御情報の受信に必要とされる第２の情報をＵＥ１００に送信するステップＣと、を含む。
【０１２６】
これにより、ＵＥ１００は、セル＃１からの第２の情報に基づいて、セル＃２が送信するＭＢＭＳ制御情報を受信できる。よって、ＳＣｅｌｌであるセル＃２についてＣＳＳのブラインド復号は不要である。従って、２つのセルについてブラインド復号を並行して行う場合に比べて、ブラインド復号に伴う処理負荷を半減させることができる。
【０１２７】
（１）動作パターン１
動作パターン１では、ステップＣにおいて、セル＃１は、システム情報（ＳＩＢ１３）により、第２の情報をブロードキャスト送信する。
【０１２８】
図１６は、第２実施形態の動作パターン１を示すシーケンス図である。初期状態において、セル＃１をＵＥ１００のＰＣｅｌｌとして設定し、セル＃２をＵＥ１００のＳＣｅｌｌとして設定している。
【０１２９】
図１６に示すように、ステップＳ３１において、ｅＮＢ２００は、セル＃１（ＰＣｅｌｌ）のＰＤＣＣＨ（ＣＳＳ及びＵＳＳ）により、制御情報をＵＥ１００に送信する。ＵＥ１００は、セル＃１のＰＤＣＣＨ（ＣＳＳ及びＵＳＳ）のブラインド復号を行う。ＵＥ１００は、ＣＳＳに含まれる情報に基づいて、セル＃１のシステム情報（ＳＩＢ１３）を受信可能な状態になる。
【０１３０】
ステップＳ３２において、ｅＮＢ２００は、セル＃１のシステム情報（ＳＩＢ１３）を送信する。動作パターン１では、セル＃１のシステム情報（ＳＩＢ１３）は、セル＃１からのＭＢＭＳ制御情報の受信に必要とされる第１の情報に加えて、セル＃２からのＭＢＭＳ制御情報の受信に必要とされる第２の情報を含む。ＵＥ１００は、セル＃１のシステム情報（ＳＩＢ１３）を受信する。
【０１３１】
図１７は、動作パターン１におけるシステム情報（ＳＩＢ１３）を示す図である。
【０１３２】
図１７に示すように、セル＃１のシステム情報（ＳＩＢ１３）は、一般的なＳＩＢ１３と同様に、セル＃１からのＭＢＭＳ制御情報の受信に必要とされる第１の情報を含む。セル＃１のシステム情報（ＳＩＢ１３）は、セル＃２からのＭＢＭＳ制御情報の受信に必要とされる第２の情報Ｅ１を含む点で、一般的なＳＩＢ１３とは異なる。第２の情報Ｅ１は、セル＃２のＭＣＣＨに関する情報である。
【０１３３】
（２）動作パターン２
第２実施形態の動作パターン２では、ステップＣにおいて、セル＃１（ｅＮＢ２００）は、システム情報（ＳＩＢ１３）とは異なる個別シグナリングにより、第２の情報Ｅ１をＵＥ１００にユニキャスト送信する。個別シグナリングとは、例えばＵＥ個別のＲＲＣメッセージである。動作パターン２では、第２の情報Ｅ１のユニキャスト送信のトリガとして、以下の３つの方法がある。
【０１３４】
第１の方法では、ＵＥ１００は、セカンダリセル（従セル）で配信されるＭＢＭＳの受信可否に関する端末能力情報（ＵＥ  Ｃａｐａｂｉｌｉｔｙ）をセル＃１に送信する。ステップＣにおいて、セル＃１（ｅＮＢ２００）は、ＵＥ１００からの端末能力情報に基づいて、個別シグナリングにより、第２の情報をＵＥ１００にユニキャスト送信する。すなわち、セカンダリセルで配信されるＭＢＭＳの受信が可能なＵＥ１００に対して、個別シグナリングにより、第２の情報をユニキャスト送信する。
【０１３５】
第２の方法では、ＵＥ１００は、セル＃２から送信されるＭＢＭＳデータの受信に興味を持つことを示すＭＢＭＳ興味通知をセル＃１に送信する。ステップＣにおいて、セル＃１（ｅＮＢ２００）は、ＵＥ１００からのＭＢＭＳ興味通知の受信に応じて、個別シグナリングにより、第２の情報をＵＥ１００にユニキャスト送信する。
【０１３６】
第３の方法は、第１の方法及び第２の方法の組み合わせである。セル＃１（ｅＮＢ２００）は、ＵＥ１００からの端末能力情報及びＭＢＭＳ興味通知の両方の受信に応じて、個別シグナリングにより、第２の情報をＵＥ１００にユニキャスト送信する。
【０１３７】
［第２実施形態の変更例］
上述した第２実施形態に係る通信制御方法は、二重接続方式（Ｄｕａｌ  Ｃｏｎｎｅｃｔｉｖｉｔｙ）に応用できる。
【０１３８】
第２実施形態の変更例では、第１実施形態の変更例と同様に、二重接続適用時のＭＢＭＳ受信に関する動作について説明する。第２実施形態の変更例の動作環境は、第１実施形態の変更例と同様である（図１２及び図１３参照）。すなわち、ＵＥ１００は、ＭｅＮＢとして動作するｅＮＢ２００−１との通信、及び、ＳｅＮＢとして動作するｅＮＢ２００−２との通信を同時に行う。また、ｅＮＢ２００−１のセルはＭＢＭＳサービスエリア１に属しており、ｅＮＢ２００−２のセルはＭＢＭＳサービスエリア２に属している。
【０１３９】
第２実施形態の変更例では、上述した第２実施形態と同様に、ｅＮＢ２００−１は、システム情報（ＳＩＢ１３）により、ｅＮＢ２００−１のセルからのＭＢＭＳ制御情報の受信に必要とされる第１の情報をＵＥ１００に送信する。また、ｅＮＢ２００−１は、ｅＮＢ２００−２のセルからのＭＢＭＳ制御情報の受信に必要とされる第２の情報をブロードキャスト又はユニキャストでＵＥ１００に送信する。その他の点については、第２実施形態と同様である。
【０１４０】
［第３実施形態］
第３実施形態について、第１実施形態及び第２実施形態との相違点を主として説明する。第３実施形態は、システム構成については第１実施形態と同様である。
【０１４１】
第３実施形態では、第１実施形態及び第２実施形態と同様に、キャリアアグリゲーション適用時のＭＢＭＳ受信に関する動作ついて説明する。また、第３実施形態では、第１実施形態及び第２実施形態と同様に、複数のセルのそれぞれが、自セル内の全てのＵＥ１００に共通に適用されるＣＳＳを設定している。
【０１４２】
図１８は、第３実施形態に係る動作環境を示す図である。
【０１４３】
図１８に示すように、ｅＮＢ２００は、セル＃１及びセル＃２を管理している。セル＃１及びセル＃２は、異なる周波数（コンポーネントキャリア）を使用する。ＵＥ１００は、セル＃１との通信及びセル＃２との通信を同時に行うキャリアアグリゲーションが可能である。但し、ＵＥ１００は、キャリアアグリゲーションを適用せずに、セル＃１との通信又はセル＃２との通信のみを行ってもよい。
【０１４４】
図１９は、第３実施形態に係る通信制御方法を示す図である。
【０１４５】
図１９に示すように、第３実施形態に係る通信制御方法は、セル＃１が、該セル＃１において第１のＭＢＭＳデータ（Ｐ１ａ，Ｐ２ａ）を送信するための第１の無線リソースのリソース位置を示す情報を、自セルのＣＳＳに配置するステップＡと、セル＃２が、該セル＃２において第２のＭＢＭＳデータ（Ｐ１ｂ，Ｐ２ｂ）を送信するための第２の無線リソースのリソース位置を示す情報を、自セルのＣＳＳに配置するステップＢと、を含む。
【０１４６】
ここで、第１のＭＢＭＳデータ及び第２のＭＢＭＳデータは、同一の情報源を元に生成されている。例えば、情報源は、映像データである。第１のＭＢＭＳデータは、情報源を構成する一部の映像フレームである。第２のＭＢＭＳデータは、情報源を構成する他の映像フレームである。或いは、第１のＭＢＭＳデータは、情報源を構成する映像フレームにおける一部の映像部分である。第２のＭＢＭＳデータは、情報源を構成する映像フレームにおける他の映像部分である。
【０１４７】
よって、セル＃１との通信及びセル＃２との通信を同時に行うＵＥ１００は、完全な映像データを受信及び再生できる。これに対し、セル＃１との通信又はセル＃２との通信のみを行うＵＥ１００は、映像品質が落ちるものの、映像データを受信及び再生できる。
【０１４８】
セル＃１では、第１のＭＢＭＳデータ（Ｐ１ａ，Ｐ２ａ）を送信するための第１の無線リソースがＰＤＳＣＨ領域に設けられる。セル＃２では、第２のＭＢＭＳデータ（Ｐ１ｂ，Ｐ２ｂ）を送信するための第２の無線リソースがＰＤＳＣＨ領域に設けられる。ここで、第１の無線リソース及び第２の無線リソースは、同じリソース位置に設定される。同じリソース位置とは、サブフレーム内のリソースエレメントの位置が同じであることを意味する。また、第１のＭＢＭＳデータ及び第２のＭＢＭＳデータには、同じＭＣＳが適用されることが好ましい。
【０１４９】
セル＃１との通信及びセル＃２との通信を同時に行うＵＥ１００は、セル＃１のＣＳＳに対するブラインド復号の結果に基づいて、セル＃１から第１のＭＢＭＳデータを受信するだけでなく、セル＃２から第２のＭＢＭＳデータも受信する。すなわち、第１の無線リソース及び第２の無線リソースは同じリソース位置に設定されているため、ＵＥ１００は、セル＃１のＣＳＳに対するブラインド復号を行うことにより、第１の無線リソース及び第２の無線リソースの両方を特定できる。よって、セル＃２のＣＳＳに対するブラインド復号を不要とすることができるため、ブラインド復号に伴う処理負荷を削減できる。なお、セル＃１との通信のみを行うＵＥ１００は、セル＃１のＣＳＳに対するブラインド復号の結果に基づいて、セル＃１から第１のＭＢＭＳデータを受信する。
【０１５０】
以下において、第１のＭＢＭＳデータ及び第２のＭＢＭＳデータの構成方法について説明する。図２０は、第１のＭＢＭＳデータ及び第２のＭＢＭＳデータの構成方法１を示す図である。
【０１５１】
図２０（ａ）に示すように、セル＃１において送信する第１のＭＢＭＳデータは、情報源を構成する一部の映像フレームである。図２０（ａ）では、時間ｔ１，ｔ３，ｔ５，ｔ７，…，ｔ（２ｎ＋１）の映像フレーム、すなわち、奇数フレームをセル＃１において送信するケースを例示している。セル＃２において送信する第２のＭＢＭＳデータは、情報源を構成する他の映像フレームである。図２０（ａ）では、時間ｔ２，ｔ４，ｔ６，ｔ８，…，ｔ２ｎの映像フレーム、すなわち、偶数フレームをセル＃２において送信するケースを例示している。
【０１５２】
図２０（ｂ）に示すように、セル＃１との通信のみを行うＵＥ１００は、セル＃１のＣＳＳに対するブラインド復号の結果に基づいて、セル＃１から第１のＭＢＭＳデータを受信する。よって、奇数フレームからなる映像を再生可能である。
【０１５３】
図２０（ｃ）に示すように、セル＃２との通信のみを行うＵＥ１００は、セル＃２のＣＳＳに対するブラインド復号の結果に基づいて、セル＃２から第２のＭＢＭＳデータを受信する。よって、偶数フレームからなる映像を再生可能である。
【０１５４】
図２０（ｄ）に示すように、セル＃１との通信及びセル＃２との通信を同時に行うＵＥ１００は、セル＃１（又はセル＃２）のＣＳＳに対するブラインド復号の結果に基づいて、セル＃１から第１のＭＢＭＳデータを受信し、かつセル＃２から第２のＭＢＭＳデータを受信する。よって、完全な映像を再生可能である。
【０１５５】
図２１は、第１のＭＢＭＳデータ及び第２のＭＢＭＳデータの構成方法２を示す図である。
【０１５６】
図２１（ａ）に示すように、セル＃１において送信する第１のＭＢＭＳデータは、情報源を構成する映像ラインにおける一部の映像部分である。図２１（ａ）では、映像ラインの奇数ラインをセル＃１において送信するケースを例示している。セル＃２において送信する第２のＭＢＭＳデータは、情報源を構成する映像ラインにおける他の映像部分である。図２１（ａ）では、映像ラインの奇数ラインをセル＃２において送信するケースを例示している。
【０１５７】
図２１（ｂ）に示すように、セル＃１との通信のみを行うＵＥ１００は、セル＃１のＣＳＳに対するブラインド復号の結果に基づいて、セル＃１から第１のＭＢＭＳデータを受信する。よって、奇数ラインからなる映像を再生可能である。なお、奇数ラインから偶数ラインを補完してもよい。
【０１５８】
図２１（ｃ）に示すように、セル＃２との通信のみを行うＵＥ１００は、セル＃２のＣＳＳに対するブラインド復号の結果に基づいて、セル＃２から第２のＭＢＭＳデータを受信する。よって、偶数ラインからなる映像を再生可能である。なお、偶数ラインから奇数ラインを補完してもよい。
【０１５９】
図２１（ｄ）に示すように、セル＃１との通信及びセル＃２との通信を同時に行うＵＥ１００は、セル＃１（又はセル＃２）のＣＳＳに対するブラインド復号の結果に基づいて、セル＃１から第１のＭＢＭＳデータを受信し、かつセル＃２から第２のＭＢＭＳデータを受信する。よって、完全な映像を再生可能である。
【０１６０】
図２２は、第１のＭＢＭＳデータ及び第２のＭＢＭＳデータの構成方法２の変更例を示す図である。上述した構成方法２では、映像フレームを奇数ライン及び偶数ラインに分割していたが、図２２に示すように、映像フレームをマトリクス状に分割し、そのうちの一部分をセル＃１において送信し、他の部分をセル＃２において送信してもよい。
【０１６１】
図２３は、第１のＭＢＭＳデータ及び第２のＭＢＭＳデータの構成方法３を示す図である。構成方法３では、情報源として立体映像を取り扱う。立体映像は、左目用映像フレーム及び右目用映像フレームからなる。
【０１６２】
図２３（ａ）に示すように、セル＃１において送信する第１のＭＢＭＳデータは、情報源を構成する一部の映像フレームである。図２３（ａ）では、右目用映像フレームをセル＃１において送信するケースを例示している。セル＃２において送信する第２のＭＢＭＳデータは、情報源を構成する他の映像フレームである。図２３（ａ）では、左目用映像フレームをセル＃２において送信するケースを例示している。
【０１６３】
図２３（ｂ）に示すように、セル＃１との通信のみを行うＵＥ１００は、セル＃１のＣＳＳに対するブラインド復号の結果に基づいて、セル＃１から第１のＭＢＭＳデータを受信する。よって、右目用映像フレームからなる映像を再生可能である。
【０１６４】
図２３（ｃ）に示すように、セル＃２との通信のみを行うＵＥ１００は、セル＃２のＣＳＳに対するブラインド復号の結果に基づいて、セル＃２から第２のＭＢＭＳデータを受信する。よって、左目用映像フレームからなる映像を再生可能である。
【０１６５】
図２３（ｄ）に示すように、セル＃１との通信及びセル＃２との通信を同時に行うＵＥ１００は、セル＃１（又はセル＃２）のＣＳＳに対するブラインド復号の結果に基づいて、セル＃１から第１のＭＢＭＳデータを受信し、かつセル＃２から第２のＭＢＭＳデータを受信する。よって、立体映像を再生可能である。
【０１６６】
以下において、セル＃１及びセル＃２の対応付けの方法について説明する。セル＃１及びセル＃２の対応付けは、予め規定されていてもよい。
【０１６７】
或いは、セル＃１及びセル＃２の対応付けは、ｅＮＢ２００からブロードキャスト又はユニキャストでＵＥ１００に通知されてもよい。
【０１６８】
図２４は、セル＃１及びセル＃２の対応付けの通知方法を示す図である。図２４に示すように、ｅＮＢ２００がセル＃１で送信するシステム情報（ＳＩＢ１５：Ｓｙｓｔｅｍ  Ｉｎｆｏｒｍａｔｉｏｎ  Ｂｌｏｃｋ  ｔｙｐｅ  １５）は、セル＃１が属するＭＢＭＳサービスエリア１及びセル＃２が属するＭＢＭＳサービスエリア２に関する情報Ｅ２を含む。
【０１６９】
［第３実施形態の変更例］
上述した第３実施形態に係る通信制御方法は、二重接続方式（Ｄｕａｌ  Ｃｏｎｎｅｃｔｉｖｉｔｙ）に応用できる。この場合、上述したセル＃１をＭｅＮＢのセルと読み替え、かつセル＃２をＳｅＮＢのセルと読み替えればよい。
【０１７０】
［その他の実施形態］
上述した各実施形態では、移動通信システムとしてＬＴＥシステムを例示したが、ＬＴＥシステムに限らず、ＬＴＥシステム以外のシステムに本発明を適用してもよい。
【０１７１】
日本国特許出願第２０１４−０５７９２９号（２０１４年３月２０日出願）の全内容が、参照により本願明細書に組み込まれている。
【産業上の利用可能性】
【０１７２】
本発明は、移動通信などの無線通信分野において有用である。
【図１】
0006553593.tif 000002
【図２】
0006553593.tif 000003
【図３】
0006553593.tif 000004
【図４】
0006553593.tif 000005
【図５】
0006553593.tif 000006
【図６】
0006553593.tif 000007
【図７】
0006553593.tif 000008
【図８】
0006553593.tif 000009
【図９】
0006553593.tif 000010
【図１０】
0006553593.tif 000011
【図１１】
0006553593.tif 000012
【図１２】
0006553593.tif 000013
【図１３】
0006553593.tif 000014
【図１４】
0006553593.tif 000015
【図１５】
0006553593.tif 000016
【図１６】
0006553593.tif 000017
【図１７】
0006553593.tif 000018
【図１８】
0006553593.tif 000019
【図１９】
0006553593.tif 000020
【図２０】
0006553593.tif 000021
【図２１】
0006553593.tif 000022
【図２２】
0006553593.tif 000023
【図２３】
0006553593.tif 000024
【図２４】
0006553593.tif 000025